(57)【要約】【課題】本発明は免震建物等で大きく揺れ動いても、目地プレートの両側部に目地部が開口して危険になるのを確実に防止することができる床用目地装置を得るにある。【解決手段】エレベータシャフト等の一方の建物の開口部の床面と目地部を介して側壁や塀を備える躯体や建物等の他方の建物との床面とを接続する床用目地装置において、一方の建物の開口部の床躯体に一端部が左右方向にスライド移動可能に取付けられ他端部が他方の建物の床面に前後方向にスライド移動可能に支持された目地プレートと、この目地プレートの目地部に位置する部位以外の他端部の上部を前後方向にスライド移動可能に覆うカバープレートと、目地プレートの両端部に先端部がスライド移動可能に取付けられ後端部が他方の建物の一方の建物の開口部の外壁面とほぼ対応する部位に枢支された一対の補助目地プレートと、この一対の補助目地プレートの先端部を一方の建物の開口部の外壁面方向に突出するように付勢する一対の付勢機構とで床用目地装置を構成している。【選択図】  図１
2004316105.tif 000002
【特許請求の範囲】
【請求項１】
エレベータシャフトや免震ビル等の一方の建物の開口部の床面と目地部を介して側壁や塀を備える躯体や建物等の他方の建物との床面とを接続する床用目地装置において、前記一方の建物の開口部の床躯体に一端部が左右方向にスライド移動可能に取付けられ、他端部が前記他方の建物の床面に前後方向にスライド移動可能に支持された前記目地部の幅寸法の約２倍の目地プレートと、この目地プレートの目地部に位置する部位以外の他端部の上部を前後方向にスライド移動可能に覆うカバープレートと、前記目地プレートの両端部に先端部がスライド移動可能に取付けられ、後端部が前記他方の建物の前記一方の建物の開口部の外壁面とほぼ対応する部位に枢支された一対の補助目地プレートと、この一対の補助目地プレートの先端部を前記一方の建物の開口部の外壁面方向に突出するように付勢する一対の付勢機構とからなることを特徴とする床用目地装置。
【請求項２】
エレベータシャフトや免震ビル等の一方の建物の開口部の床面と目地部を介して側壁や塀を備える躯体や建物等の他方の建物との床面とを接続する床用目地装置において、前記一方の建物の開口部の床躯体に一端部が左右方向にスライド移動可能に取付けられ、他端部が前記他方の建物の床面に前後方向にスライド移動可能に支持された前記目地部の幅寸法の約２倍の、前記一方の建物側の両端部を三角形状に除去した傾斜面を有する長方形状の目地プレートと、この目地プレートの目地部に位置する部位以外の他端部の上部を前後方向にスライド移動可能に覆うカバープレートと、前記目地プレートの両端部に先端部がスライド移動可能に取付けられ、後端部が前記他方の建物の前記一方の建物の開口部の外壁面とほぼ対応する部位に枢支された一対の補助目地プレートと、この一対の補助目地プレートの先端部を前記一方の建物の開口部の外壁面方向に突出するように付勢する一対の付勢機構とからなることを特徴とする床用目地装置。
【発明の詳細な説明】
【０００１】
【発明の属する技術分野】
本発明はエレベータシャフトや免震ビル等の一方の建物の開口部の床面と目地部を介して側壁や塀を備える躯体や建物等の他方の建物との床面とを接続する床用目地装置に関する。
【０００２】
【従来の技術】
従来のこの種の床用目地装置は一方の建物の開口部の床面に一端部が左右方向にスライド移動可能に取付けられ、他端部が他方の建物の床面に支持された、目地部の幅寸法の約２倍の長方形状の目地プレートと、この目地プレートの目地部に位置する部位以外の他端部の上部を前後方向にスライド移動可能に覆うカバープレートとで構成されている。
【０００３】
【発明が解決しようとする課題】
従来の目地部を長方形状の目地プレートで覆う床用目地装置は、揺れ動き量を大きく設定した免震構造の建物では目地プレートの一端部を左右方向にスライド移動可能に取付けられた一方の建物が目地部の幅寸法がなくなるように揺れ動いた場合、該一方の建物と一体になって目地プレートが他方の建物方向にスライド移動するとともに、一方の建物の両端部の外壁面と他方の建物の側壁との間を伸縮可能に覆う壁用目地装置が傾斜状態となり、該壁用目地装置と目地プレートとの間に三角形状の目地部が開口するという欠点があった。
【０００４】
本発明は以上のような従来の欠点に鑑み、免震建物等で大きく揺れ動いても、目地プレートの両側部に目地部が開口して危険になるのを確実に防止することができる床用目地装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明はエレベータシャフトや免震ビル等の一方の建物の開口部の床面と目地部を介して側壁や塀を備える躯体や建物等の他方の建物との床面とを接続する床用目地装置において、前記一方の建物の開口部の床躯体に一端部が左右方向にスライド移動可能に取付けられ、他端部が前記他方の建物の床面に前後方向にスライド移動可能に支持された前記目地部の幅寸法の約２倍の目地プレートと、この目地プレートの目地部に位置する部位以外の他端部の上部を前後方向にスライド移動可能に覆うカバープレートと、前記目地プレートの両端部に先端部がスライド移動可能に取付けられ、後端部が前記他方の建物の前記一方の建物の開口部の外壁面とほぼ対応する部位に枢支された一対の補助目地プレートと、この一対の補助目地プレートの先端部を前記一方の建物の開口部の外壁面方向に突出するように付勢する一対の付勢機構とで床用目地装置を構成している。
【０００７】
【発明の実施の形態】
以下、図面に示す実施の形態により、本発明を詳細に説明する。
【０００８】
図１ないし図１１に示す本発明の第１の実施の形態において、１はエレベータシャフトが一方の建物２である開口部３の床躯体４と目地部５を介して側壁６、６を備える他方の建物７との床面８とを接続する本発明の床用目地装置で、この床用目地装置１は前記一方の建物２の開口部３の床躯体４に一端部が左右方向にスライド移動可能に取付け金具９を介して取付けられ、他端部が前記他方の建物７の床面８に形成された凹部１０内に前後方向にスライド移動可能に支持された前記目地部５の幅寸法Ｈの約２倍の目地プレート１１と、この目地プレート１１の目地部５に位置する部位以外の他端部の上部である、前記凹部１０の上部を該目地プレート１１が前後方向にスライド移動可能に覆うカバープレート１２と、前記目地プレート１１の両端部に先端部がスライド移動可能に取付けられ、後端部が前記他方の建物７の前記一方の建物２の開口部３の外壁面２ａ、２ａとほぼ対応する部位に枢支ピン１３で枢支された一対の補助目地プレート１４、１４と、この一対の補助目地プレート１４、１４の先端部を前記一方の建物２の開口部３の外壁面２ａに突出するように付勢する一対の付勢機構１５、１５とで構成されている。
【０００９】
１６、１６は前記一方の建物２の開口部３側の両壁面２ａ、２ａと前記他方の建物７の目地部側の側壁６、６との間を伸縮可能に覆う壁面用目地装置で、この壁面用目地装置１６、１６は異なる前後左右方向に一方の建物２と他方の建物７が揺れ動いても伸縮し、前後方向に回動してその揺れ動きを吸収することができる、従来から一般に使用されているものを使用している。
【００１０】
前記取付け金具９は図３に示すように、複数本のビス１７等によって一方の建物２の開口部３の床躯体４に固定されるクランク状の支持金具１８と、この支持金具１８に支持された前記目地プレート１１の一端部が、該支持金具１８から脱落するのを阻止する複数本のビス１７等によって該支持金具１８の上部の床躯体４に固定されるアングル状の脱落防止バー１９とで構成されている。
【００１１】
前記目地プレート１１は図４に示すように目地プレート本体２０と、この目地プレート本体２０の一端部の底面に取付けられた、前記取付け金具９の支持金具１８のガイドレール部１８ａをスライド移動する複数個のローラー２１と、前記目地プレート本体２０の他端部の底面に取付けられた前記凹部１０内をスライド移動する複数個のローラー２２とで構成されている。
【００１２】
前記カバープレート１２は図５に示すように、前記凹部１０より大きい寸法に形成され、該凹部１０の周縁部にカバープレート１２の厚さ寸法分のカバープレート支持凹部２３を形成し、該カバープレート支持凹部２３に複数本のビス２４等によってカバープレート１２を固定している。
なお、カバープレート１２の厚さ寸法の段差が生じてもさしつかえない場合には、直接凹部１０の外周部の床面８に複数本のビス２４等によって固定してもよい。
【００１３】
前記一対の補助目地プレート１４、１４は図６に示すように、前記目地プレート１１の両端部寄りの部位の底面に固定された内側および一方の建物２側が開口する薄い箱状のケース体２５と、このケース体２５内を先端部がスライド移動する先端部が四角形状で、後端部の内側部分が弧状に切欠き２６された補助目地プレート本体２７と、この補助目地プレート本体２７の後端部に形成された枢支金具２８の枢支ピン１３が挿入される枢支ピン挿入孔２９とで構成されている。
【００１４】
前記一対の付勢機構１５、１５は一端部が前記補助目地プレート１４、１４の補助目地プレート本体２７、２７の前記一方の建物２側の先端部に取付けられ、一方の建物２側の前記目地プレート１１の底面に取付けられたガイドローラ３０を介して、他方の建物７側の目地プレート１１の底面に取付けられた係止片３１に他端部が取付けられたワイヤー３２にコイルスプリング３３を介装した付勢杆３４を用いて構成されている。
【００１５】
上記構成の床用目地装置１は地震等によって一方の建物２と他方の建物７とが異なる左右方向に揺れ動いた場合には、図８に示すように一方の建物２に対して目地プレート１１が左右方向にスライド移動して、その揺れ動きを吸収する。
また、図９に示すように、一方の建物の２の開口部３側の目地部５が広くなるように揺れ動いた場合、目地プレート１１の他端部が他方の建物７の凹部１０内を前後方向にスライド移動して、その揺れ動きを吸収する。
【００１６】
一方の建物２の開口部３側の目地部５が狭くなるように揺れ動いた場合、図１０および図１１に示すように、目地プレート１１が一方の建物２によって、他方の建物７方向に押し圧されるため、目地プレート１１の他端部は他方の建物７の凹部１０内へ押し込まれる。
この時、一対の補助目地プレート１４、１４の補助目地プレート本体２７、２７は目地プレート１１と一体に移動しないため、目地プレート１１の一方の建物２側へ突出し、壁面用目地装置１６、１６が傾斜面になっても、突出する補助目地プレート本体２７、２７によって目地部５が開口するのを確実に防止することができる。
【００１７】
また、このように目地部５が狭くなりかつ左右方向に揺れ動いた場合には、補助目地プレート本体２７、２７の弧状の切欠部２６、２６と一方の建物２の外壁面とが接触して、補助目地プレート本体２７、２７が目地プレート１１側へ押し圧され、目地部５が開口することなくかつ補助目地プレート本体２７、２７を損傷させることなく回動させることができる。
【００１８】
【発明の異なる実施の形態】
次に、図１２ないし図２３に示す本発明の異なる実施の形態につき説明する。なお、これらの本発明の異なる実施の形態の説明に当って、前記本発明の第１の実施の形態と同一構成部分には同一符号を付して重複する説明を省略する。
【００１９】
図１２ないし図１４に示す本発明の第２の実施の形態において、前記本発明の第１の実施の形態と主に異なる点は、両端部が一方の建物２方向に突出する突出片３５、３５が形成されたカバープレート１２Ａと、直角台形状の補助目地プレート本体２７Ａ、２７Ａを使用した一対の補助目地プレート１４Ａ、１４Ａを用いた点で、このように構成した床用目地装置１Ａにしても、前記本発明の第１の実施の形態と同様な作用効果が得られる。
【００２０】
図１５ないし図１７に示す本発明の第３の実施の形態において、前記本発明の第１の実施の形態と主に異なる点は、一方の建物２側の両端部が開口する枠体３６、この枠体３６の上下面を覆うように固定されたカバー板３７、３７とで構成された目地プレート１１Ａと、他方の建物７の凹部１０の底面および側壁を覆うように固定された、前記目地プレート１１Ａをスムーブにスライド移動させる金属材製の支持プレート３８と、この支持プレート３８の側壁板３８ａに複数本のビス２４等によって固定されるカバープレート１２Ｂと、前記目地プレート１１Ａの一方の建物２側の両端部に先端部が挿入された一対の補助目地プレート１４Ｂ、１４Ｂとを用いた点で、このような各部品を用いて構成した床用目地装置１Ｂにしても、前記本発明の第１の実施の形態と同様な作用効果が得られる。
【００２１】
図１８ないし図２０に示す本発明の第４の実施の形態において、前記本発明の第２の実施の形態と主に異なる点は、一方の建物２側の両端部を三角形状に除去した傾斜面３９、３９を有する長方形状の目地プレート１１Ｂを用いるとともに、該目地プレート１１Ｂの両端部の傾斜面３９、３９部位の目地部５を一対の補助目地プレート１４、１４で覆えるようにした点で、このように構成した床用目地装置１Ｃにしても、前記本発明の第１の実施の形態と同様な作用効果が得られるとともに、目地プレート１１Ｂと一対の補助目地プレート１４、１４との段差によってシート材を用いた壁面用目地装置１６、１６の下端部の損傷を効率よく防止することができる。
【００２２】
図２１ないし図２３に示す本発明の第５の実施の形態において、前記本発明の第１の実施の形態と主に異なる点は、免震ビルが一方の建物２Ａとし、他方の建物７Ａを目地部５を介して配置された塀４０、４０を有する床躯体とし、該一方の建物２Ａの開口部３と、他方の建物７Ａの床躯体との間の目地部５を覆った点で、このように構成された床用目地装置１Ｄにしても、前記本発明の第１の実施の形態と同様な作用効果が得られる。
【００２３】
【発明の効果】
以上の説明から明らかなように、本発明にあっては次に列挙する効果が得られる。
【００２４】
（１）エレベータシャフトや免震ビル等の一方の建物の開口部の床面と目地部を介して側壁や塀を備える躯体や建物等の他方の建物との床面とを接続する床用目地装置において、前記一方の建物の開口部の床躯体に一端部が左右方向にスライド移動可能に取付けられ、他端部が前記他方の建物の床面に前後方向にスライド移動可能に支持された前記目地部の幅寸法の約２倍の目地プレートと、この目地プレートの目地部に位置する部位以外の他端部の上部を前後方向にスライド移動可能に覆うカバープレートと、前記目地プレートの両端部に先端部がスライド移動可能に取付けられ、後端部が前記他方の建物の前記一方の建物の開口部の外壁面とほぼ対応する部位に枢支された一対の補助目地プレートと、この一対の補助目地プレートの先端部を前記一方の建物の開口部の外壁面方向に突出するように付勢する一対の付勢機構とで構成されているので、目地プレートがカバープレート内へ押し込まれた場合に生じる、一方の建物の両端部の目地部が開口するのを一対の補助目地プレートで阻止することができる。
したがって、安全に使用することができる。
【００２５】
（２）前記（１）によって、目地プレートの移動により生ずる開口部を一対の補助目地プレートで阻止できるので、免震ビル等の大きな揺れ動きを設定した建物にも使用できる。
【００２６】
（３）前記（１）によって、一対の補助目地プレートを他方の建物に枢支しているので、目地プレートを押し込んで両端部に目地部が開口する場合に、確実に開口部を覆うように一対の補助目地プレートを突出させることができる。
したがって、安全に使用することができるとともに、一対の補助目地プレート上に人が乗っても安全に支持することができる。
【００２７】
（４）請求項２も前記（１）〜（３）と同様な効果が得られる。
【図面の簡単な説明】
【図１】本発明の第１の実施の形態の平面図。
【図２】本発明の第１の実施の形態の正面図。
【図３】図１の３−３線に沿う拡大断面図。
【図４】本発明の第１の実施の形態の取付け金具の説明図。
【図５】本発明の第１の実施の形態の目地プレートの説明図。
【図６】本発明の第１の実施の形態のカバープレートの説明図。
【図７】本発明の第１の実施の形態の補助目地プレートの説明図。
【図８】本発明の第１の実施の形態の異なる左右方向の動作説明図。
【図９】本発明の第１の実施の形態の目地部が広くなる動作説明図。
【図１０】本発明の第１の実施の形態の目地部が狭くなる動作説明。
【図１１】本発明の第１の実施の形態の目地部が狭くなる動作説明の平面図。
【図１２】本発明の第２の実施の形態の平面図。
【図１３】図１２の１３−１３線に沿う拡大断面図。
【図１４】本発明の第２の実施の形態の目地部が狭くなる動作説明の平面図。
【図１５】本発明の第３の実施の形態の平面図。
【図１６】図１５の１６−１６線に沿う拡大断面図。
【図１７】本発明の第３の実施の形態の目地プレートの説明図。
【図１８】本発明の第４の実施の形態の平面図。
【図１９】図１８の１９−１９線に沿う拡大断面図。
【図２０】本発明の第４の実施の形態の目地部が狭くなる動作説明の平面図。
【図２１】本発明の第５の実施の形態の平面図。
【図２２】本発明の第５の実施の形態の正面図。
【図２３】図２１の２３−２３線に沿う拡大断面図。
【符号の説明】
１、１Ａ、１Ｂ、１Ｃ、１Ｄ：床用目地装置、
２：一方の建物、        ３：開口部、
４：床躯体、            ５：目地部、
６：側壁、              ７：他方の建物、
８：床面、              ９：取付け金具、
１０：凹部、
１１、１１Ａ、１１Ｂ：目地プレート、
１２、１２Ａ、１２Ｂ：カバープレート、
１３：枢支ピン、
１４、１４Ａ、１４Ｂ：補助目地プレート、
１５：付勢機構、        １６：壁面用目地装置、
１７：ビス、            １８：支持金具、
１９：脱落防止バー、    ２０：目地プレート本体、
２１：ローラー、        ２２：ローラー、
２３：カバープレート支持凹部、
２４：ビス、            ２５：ケース体、
２６：切欠き、
２７、２７Ａ：補助目地プレート本体、
２８：枢支金具、        ２９：枢支ピン挿入孔、
３０：ガイドローラー、  ３１：係止片、
３２：ワイヤー、        ３３：コイルスプリング、
３４：付勢杆、          ３５：突出片、
３６：枠体、            ３７：カバー板、
３８：支持プレート、    ３９：傾斜面、
４０：塀。
【図１】
2004316105.tif 000003
【図２】
2004316105.tif 000004
【図３】
2004316105.tif 000005
【図４】
2004316105.tif 000006
【図５】
2004316105.tif 000007
【図６】
2004316105.tif 000008
【図７】
2004316105.tif 000009
【図８】
2004316105.tif 000010
【図９】
2004316105.tif 000011
【図１０】
2004316105.tif 000012
【図１１】
2004316105.tif 000013
【図１２】
2004316105.tif 000014
【図１３】
2004316105.tif 000015
【図１４】
2004316105.tif 000016
【図１５】
2004316105.tif 000017
【図１６】
2004316105.tif 000018
【図１７】
2004316105.tif 000019
【図１８】
2004316105.tif 000020
【図１９】
2004316105.tif 000021
【図２０】
2004316105.tif 000022
【図２１】
2004316105.tif 000023
【図２２】
2004316105.tif 000024
【図２３】
2004316105.tif 000025